【手続補正書】
【提出日】平成16年7月14日(2004.7.14)
【手続補正１】
【補正対象書類名】明細書
【補正対象項目名】発明の名称
【補正方法】変更
【補正の内容】
【発明の名称】画像処理方法および装置
【手続補正２】
【補正対象書類名】明細書
【補正対象項目名】特許請求の範囲
【補正方法】変更
【補正の内容】
【特許請求の範囲】
【請求項１】
カラーパッチを測色することで得られる測色値を取得する測色値取得工程と、
前記カラーパッチに対応する標準値を取得する標準値取得工程と、
前記測色値と前記標準値に基づき、前記測色にエラーが生じたか否かを判定する判定工程と、
前記判定工程において、前記エラーが生じたと判定されたカラーパッチをユーザに報知する報知工程とを有することを特徴とする画像処理方法。
【請求項２】
さらに、前記カラーパッチに対応する許容色差を取得する許容色差取得工程を有し、前記判定工程は、前記測色値と前記標準値の差が前記許容色差を超える場合に、前記エラーが生じたと判定することを特徴とする請求項1に記載された画像処理方法。
【請求項３】
前記許容色差取得工程は、前記カラーパッチごとに設定された前記許容色差を取得することを特徴とする請求項2に記載された画像処理方法。
【請求項４】
さらに、前記標準値と前記許容色差の対応関係を示す対応データを複数保持する保持工程と、
ユーザの指示に応じて、前記複数の対応データから一つの対応データを選択する選択工程とを有することを特徴とする請求項2に記載された画像処理方法。
【請求項５】
前記報知工程は、前記測色したカラーパッチを一覧表示し、その一覧表示において、前記エラーが生じたと判定したカラーパッチと、前記エラーが生じていないと判定したカラーパッチとを異なる表示方法で表示することを特徴とする請求項1に記載された画像処理方法。
【請求項６】
前記一覧表示は、測色順に各カラーパッチを表示することを特徴とする請求項5に記載された画像処理方法。
【請求項７】
さらに、前記エラーが生じたと判定したカラーパッチを再測色する再測色工程を有することを特徴とする請求項1に記載された画像処理方法。
【請求項８】
測色機を用いてカラーパッチを測色することで得られる測色値を取得する測色値取得工程と、
前記カラーパッチに対応する標準値を取得する標準値取得工程と、
前記測色値と前記標準値に基づき、前記測色にエラーが生じたか否かを判定する判定工程と、
前記判定工程において、前記エラーが生じたと判定されたカラーパッチを前記測色機に再測色させる再測色工程とを有することを特徴とする画像処理方法。
【請求項９】
さらに、前記標準値を、ユーザの指示に応じて編集する編集工程を有することを特徴とする請求項1から請求項8の何れかに記載された画像処理方法。
【請求項１０】
さらに、前記許容色差を、ユーザの指示に応じて編集する編集工程を有することを特徴とする請求項2から請求項4の何れかに記載された画像処理方法。
【請求項１１】
互いに色が異なる複数のカラーパッチを測色することで得られる測色値を取得する測色値取得工程と、
前記複数のカラーパッチそれぞれに対応する複数の標準値を取得する標準値取得工程と、
前記複数のカラーパッチに対応する複数の許容色差を取得する許容色差取得工程と、
前記測色値、前記標準値および前記許容色差に基づき、前記測色にエラーが生じたか否かを判定する判定工程とを有することを特徴とする画像処理方法。
【請求項１２】
コンピュータを制御して、請求項1から請求項11の何れかに記載された画像処理を実現するプログラムが記録されたことを特徴とする記録媒体。
【請求項１３】
カラーパッチを測色することで得られる測色値を取得する測色値取得手段と、
前記カラーパッチに対応する標準値を取得する標準値取得手段と、
前記測色値と前記標準値に基づき、前記測色にエラーが生じたか否かを判定する判定手段と、
前記判定手段において、前記エラーが生じたと判定されたカラーパッチをユーザに報知する報知手段とを有することを特徴とする画像処理装置。
【請求項１４】
測色機を用いてカラーパッチを測色することで得られる測色値を取得する測色値取得手段と、
前記カラーパッチに対応する標準値を取得する標準値取得手段と、
前記測色値と前記標準値に基づき、前記測色にエラーが生じたか否かを判定する判定手段と、
前記判定手段において、前記エラーが生じたと判定されたカラーパッチを前記測色機に再測色させる再測色手段とを有することを特徴とする画像処理装置。
【請求項１５】
互いに色が異なる複数のカラーパッチを測色することで得られる測色値を取得する測色値取得手段と、
前記複数のカラーパッチそれぞれに対応する複数の標準値を取得する標準値取得手段と、
前記複数のカラーパッチに対応する複数の許容色差を取得する許容色差取得手段と、
前記測色値、前記標準値および前記許容色差に基づき、前記測色にエラーが生じたか否かを判定する判定手段とを有することを特徴とする画像処理装置。
【手続補正３】
【補正対象書類名】明細書
【補正対象項目名】０００１
【補正方法】変更
【補正の内容】
【０００１】
【発明の属する技術分野】
本発明は、カラーパッチの測色においてエラーが生じたことを判定する画像処理方法および装置に関する。
【手続補正４】
【補正対象書類名】明細書
【補正対象項目名】０００４
【補正方法】変更
【補正の内容】
【０００４】
【発明が解決しようとする課題】
カラープリンタや印刷機がもつ強い非線形出力特性を精度よく近似し、高精度な色再現を可能にするプロファイルを作成するためには、パッチを適切に測色することが必要である。本発明は、適切なカラーパッチの測色結果を取得するためのユーザの負荷を軽減することを目的とする。特に、測色が適正に行われたか否かの確認を容易にすることを目的とする。
【手続補正５】
【補正対象書類名】明細書
【補正対象項目名】０００７
【補正方法】変更
【補正の内容】
【０００７】
本発明は、カラーパッチを測色することで得られる測色値を取得し、カラーパッチに対応する標準値を取得し、測色値と標準値に基づき、測色にエラーが生じたか否かを判定し、エラーが生じたと判定したカラーパッチをユーザに報知することを特徴とする。
【手続補正６】
【補正対象書類名】明細書
【補正対象項目名】０００８
【補正方法】変更
【補正の内容】
【０００８】
また、測色機を用いてカラーパッチを測色することで得られる測色値を取得し、カラーパッチに対応する標準値を取得し、測色値と標準値に基づき、測色にエラーが生じたか否かを判定し、エラーが生じたと判定したカラーパッチを測色機に再測色させることを特徴とする。
【手続補正７】
【補正対象書類名】明細書
【補正対象項目名】０００９
【補正方法】変更
【補正の内容】
【０００９】
また、互いに色が異なる複数のカラーパッチを測色することで得られる測色値を取得し、複数のカラーパッチそれぞれに対応する複数の標準値を取得し、複数のカラーパッチに対応する複数の許容色差を取得し、測色値、標準値および許容色差に基づき、測色にエラーが生じたか否かを判定することを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】０１１７
【補正方法】変更
【補正の内容】
【０１１７】
【発明の効果】
請求項1の発明によれば、測色でエラーが生じたと判定したカラーパッチをユーザに報知するので、測色結果が適正か否かの確認を容易に行うことができ、さらに、不適切な測色結果であったカラーパッチを容易に確認することができる。請求項8の発明によれば、エラーが生じたと判定されたカラーパッチの再測色を簡単に行うことができる。請求項11の発明によれば、複数のカラーパッチに対応する複数の許容色差を取得するので、カラーパッチの種類に応じて許容色差を設定することができる。よって、各カラーパッチに対するユーザの重要度に応じたエラー判定を行うことができる。